(57)【要約】      （修正有）【課題】娯楽性の高い履物を提供する。【解決手段】履物１は、足底の前部を支持する蹄状の前部支持部３１と、足底の後部を支持する後部支持部３２とを有する履物本体３を備え、後部支持部３２は前部支持部３１から斜め上方へ傾斜する状態で延伸し、前部支持部３１のみが地面と接触し、履物本体３に足を固定するための固定紐用の固定部３３ａ，３６を有する。【選択図】図５
2019072351.tif 000002
【特許請求の範囲】
【請求項１】
足底の前部を支持する蹄状の前部支持部と、前記足底の後部を支持する後部支持部とを有する履物本体を備え、
前記後部支持部は前記前部支持部から斜め上方へ傾斜する状態で延伸し、
前記前部支持部のみが地面と接触し、
前記履物本体に足を固定するための固定紐用の固定部を有する
履物。
【請求項２】
前記後部支持部は、前記履物本体に足を固定紐により固定した際に、足の膝がつま先よりも前側に位置するように、傾斜している
請求項１に記載の履物。
【請求項３】
前記履物本体は、木材により構成され、蹄部とへ字状部とから構成されている
請求項１又は２に記載の履物。
【請求項４】
前記へ字状部の短辺板部分が前記蹄部の上面に結合され、
前記固定部は貫通孔であり、
前記貫通孔は、前記短辺板部分と前記蹄部の上面との間と、前記へ字状部の長辺板部分とに設けられている
請求項３に記載の履物。
【発明の詳細な説明】
【技術分野】
【０００１】
本発明は、娯楽性の高い履物に関するものである。
【背景技術】
【０００２】
従来から、馬や羊等の動物の前足に似せて、その意匠等を楽しむようにした履物がある（例えば、非特許文献１）。
非特許文献１の履物は、一般に使用されているヒール付きサンダルを蹄状の蹄体に取り付けて構成されている。なお、サンダルのヒールは除去されている。
【先行技術文献】
【非特許文献】
【０００３】
【特許文献１】「Ｅｔｓｙ  ショップ」、［online］、［平成２７年  ９月２８日検索］、インターネット＜URL：https://www.etsy.com/jp/listing/502621214/satyr-hooves-shoes-rush?ref=pr_shop＞
【発明の概要】
【発明が解決しようとする課題】
【０００４】
非特許文献１における履物では、足先部分が蹄状をしているものの、娯楽性に乏しい。
本発明が解決しようとする課題は、娯楽性の高い履物を提供することにある。
【課題を解決するための手段】
【０００５】
本発明の一態様である履物は、足底の前部を支持する蹄状の前部支持部と、前記足底の後部を支持する後部支持部とを有する履物本体を備え、前記後部支持部は前記前部支持部から斜め上方へ傾斜する状態で延伸し、前記前部支持部のみが地面と接触し、前記履物本体に足を固定するための固定紐用の固定部を有する。
【発明の効果】
【０００６】
本発明によれば、膝が前側に折れ曲がり、その形状が動物の前足の形状に近くなり、娯楽性を高めることができる。
【図面の簡単な説明】
【０００７】
【図１】実施形態に係るサンダルの正面図である。
【図２】サンダルの側面図である。
【図３】サンダルの平面図である。
【図４】サンダルの背面図である。
【図５】使用状態のサンダルを示す図である。
【発明を実施するための形態】
【０００８】
＜概要＞
本発明の一態様に係る履物は、足底の前部を支持する蹄状の前部支持部と、前記足底の後部を支持する後部支持部とを有する履物本体を備え、前記後部支持部は前記前部支持部から斜め上方へ傾斜する状態で延伸し、前記前部支持部のみが地面と接触し、前記履物本体に足を固定するための固定紐用の固定部を有する。
本発明の他の態様に係る履物において、前記後部支持部は、前記履物本体に足を固定紐により固定した際に、足の膝がつま先よりも前側に位置するように、傾斜している。これにより、歩行時に自然と足の膝がつま先よりも前側に位置するような歩き方となる。
本発明の他の態様に係る履物において、前記履物本体は、木材により構成され、蹄部とへ字状部とから構成されている。これにより、後部支持部の傾斜状態を維持できる剛性が確保される。
本発明の他の態様に係る履物において、前記へ字状部の短辺板部分が前記蹄部の上面に結合され、前記固定部は貫通孔であり、前記貫通孔は、前記短辺板部分と前記蹄部の上面との間と、前記へ字状部の長辺板部分とに設けられている。これにより容易に実施できる。
【０００９】
＜実施形態＞
以下本発明をサンダルに適用した実施形態について、図１から図５を用いて詳細に説明する。
１．全体構成
サンダル１は、サンダル本体３と固定紐５とを備え、サンダル本体３を足に固定紐５を用いて固定するように構成されている。サンダルは、本発明の履物の一例に相当し、サンダル本体は本発明の履物本体の一例に相当する。なお、固定紐５は、図１及び図５に示し、図２〜図４では省略している。図１では固定紐５のサンダル本体３への取り付け部分のみを示している。
以下、各部について詳細に説明する。
２．各部
（１）サンダル本体
サンダル本体３は、足底の前部を支持する蹄状の前部支持部３１と、足底の後部を支持する後部支持部３２とを有する。
ここでいう「足底の前部」とは、例えば、土踏まずよりも前側部分をいい、指や指の付け根が含まれる。また、足底の「後部」とは、例えば、土踏まず以降の部分（土踏まずを含む）をいい、土踏まずや踵（の全部又は一部）が含まれる。
サンダル本体３は、通常の使用において、前部支持部３１のみが地面と接触し、後部支持部３２は地面と接触しない。
サンダル本体３は蹄部３３とへ字状部３４との２部材から構成されている。へ字状部３４は、側方から見ると、「へ」字状をしている。へ字状部３４は短辺板部分３５と長辺板部分３６とから構成されている。短辺板部分３５が蹄部３３の上面に結合される。
蹄部３３及びへ字状部３４はここでは木材、例えば、檜、桐、杉、桜等により構成されている。
【００１０】
（１−１）前部支持部
前部支持部３１は、動物の蹄状をし、高さが５［ｃｍ］以上１０［ｃｍ］以下の範囲内が好ましく、６［ｃｍ］以上９［ｃｍ］以下の範囲内がさらに好ましい。この範囲が、動物の蹄に近づけることができ、安全に楽しむことができる。なお、ここでの高さの上面は短辺板部分３５の上面である。
前部支持部３１は、蹄部３３に縦溝３３ｂを有し、より一層動物の蹄に似た形状をしている。
前部支持部３１はサンダル本体３に足を固定するための固定紐５用の固定部を有している。ここでは、固定部の一例として貫通孔３３ａを利用している。貫通孔３３ａは、図２に示すように、短辺板部分３５と蹄部３３の上面との間に設けられている。貫通孔３３ａは、図３に示すように、足の幅方向に延伸するように設けられている。
【００１１】
（１−２）後部支持部
後部支持部３２は前部支持部３１から斜め上方へ傾斜状態で延伸する。後部支持部３２はへ字状部３４の長辺板部分３６により構成されている。後部支持部３２は、サンダル本体３に足を固定紐５により固定した際に体の重心が指先（つま先）よりも前側に位置するように、傾斜している。
具体的には、長辺板部分３６と短辺板部分３５との角度は１００［°］以上１４０［°］以下の範囲内にある。好ましい角度は、１１０［°］以上１３０［°］以下の範囲である。
後部支持部３２はサンダル本体３に足を固定するための固定紐５用の固定部を有している。ここでは、固定部の一例として貫通孔３６ａを利用している。貫通孔３６ａは長辺板部分３６に２個ある。２個の貫通孔３６ａは長辺板部分３６の延伸方向に沿って設けられ、延伸方向に長い形状をしている。２個の貫通孔３６ａは互いに平行に延伸している。
【００１２】
（１−３）蹄部とへ字状部
蹄部３３とへ字状部３４との結合は、へ字状部３４の表面から蹄部３３に進入するビス７により行われる。ここではビス７は３本利用され、正三角形又は正三角形に近い三角形の頂点位置で結合している。なお、結合は、接着剤を利用してもよいし、接着剤とビスとを併用してもよい。
３本のビス７のうち、２本のビス７は、貫通孔３３ａを挿通する固定紐５も固定できるように、貫通孔３３ａを通過している。これにより、固定紐５のサンダル本体３への取付も併せてできる。
【００１３】
（２）固定紐
固定紐５は、足をサンダル本体３に固定できればよく、その種類、長さ、本数等は特に限定するものではなく、断面が偏平な紐、断面が円形の紐（ロープ）等を利用できる。
固定紐５は、固定状態の足の痛みを考慮すると、幅広の紐が好ましい。換言すると、固定紐５はテープ状の紐が好ましい。テープ状の紐としては、例えば、リボン、織テープ等がある。
固定紐５の幅としては、１５［ｍｍ］以上３５［ｍｍ］以下の範囲が好ましく、２０［ｍｍ］以上３０［ｍｍ］以下の範囲がより好ましい。１５［ｍｍ］よりも小さいと足が痛くなり、３５［ｍｍ］より大きいと固定紐５の操作性が悪くなる。
固定紐５は、布製、樹脂製（フィルム）の紐を利用できる。固定状態の足の痛みを考慮すると布製が好ましい。
【００１４】
３．使用状態
（１）サンダル１を足に固定する際に固定紐５と貫通孔３３ａ，３６ａを利用している。このため、利用者の足のサイズに関係なくサンダル１を使用できる。
（２）後部支持部３２を傾斜させているので、膝が前側に位置することとなり、サンダル１を履いて歩行する際に、動物の足に似た姿勢（形状）で歩行することとなる。これにより、サンダル１の形状だけでなく、歩き方も動物と似ることとなり、娯楽性を高めることができる。
（３）前部支持部３１のみが地面に接触し、後部支持部３２が傾斜しているため、歩行時に安定性が悪く、動物の歩き方に似た歩き方となる。これにより娯楽性を高めることができる。
【００１５】
＜変形例＞
以上、一実施形態に係る表示灯を説明したが、この実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の変更があっても本発明に含まれる。
【００１６】
１．履物
実施形態では、履物の例としてサンダルについて説明したが、他の履物、例えばスリッパ、靴、下駄等であってもよい。但し、履物本体だけでは歩行が困難であり、固定紐による固定が必要となる。
実施形態の履物本体３は蹄部３３とへ字状部３４とを別体で備えている。しかしながら、蹄部とへ字状部とが一体になった履物本体であってもよい。
実施形態の蹄部３３とへ字状部３４とは同じ材料（木材）で構成されていたが、別の材料で構成してもよい。例えば、蹄部を金属と樹脂とで構成し、へ字状部を木材により構成してもよい。
実施形態の履物本体３は、固定部として、固定紐５を挿通させる貫通孔３３ａ，３６ａを利用しているが、例えば、溝や凹みにより固定部を構成してもよい。つまり、足に履物本体を固定紐で固定する際に、固定紐が履物本体から外れたり、ずれたりしないような構成であればよい。実施形態では、３本のビスを利用しているが、２本であってもよいし、４本以上であってもよい。
【００１７】
２．紐
実施形態では１本の固定紐５により足を固定しているが、例えば、複数本の紐により固定してもよい。
実施形態では、履物（サンダル）は履物本体（サンダル本体３）と固定紐５とを一体に備えていたが、例えば、履物は、履物本体と固定紐とを別体で備えてもよい。
３．貫通孔
実施形態では、固定紐５を履物本体（サンダル本体３）に固定できればよく、その個数や形状等は特に限定するものではない。
【符号の説明】
【００１８】
１    サンダル（履物）
３    サンダル本体（履物本体）
５    固定紐
３１    前部支持部
３２    後部支持部
３３    蹄部
３３ａ  貫通孔（固定部）
３４    へ字状部
３５    短辺板部分
３６    長辺板部分
３６ａ  貫通孔（固定部）
【図１】
2019072351.tif 000003
【図２】
2019072351.tif 000004
【図３】
2019072351.tif 000005
【図４】
2019072351.tif 000006
【図５】
2019072351.tif 000007